(57)【要約】【課題】容易に熱湯消毒ができ、パイプの持つ機能を損なうことが無い新規なパイプ又はパイプセットを提供する。【解決手段】パイプ８は、一端に吸い口部が形成され中空状に成形されたパイプ本体９と、このパイプ本体９の他端９ｂ側に着脱自在に取り付けられ通気孔１０ｄが形成されたキャップ１０と、このキャップ１０内に収容され香気又はマイナスイオンを放出するマイナスイオン放出材１１とを備え、パイプ本体９は、セラミック材料により一体成形されてなるものである。また、マイナスイオン放出材１１は自然石又は加工石からなり、キャップ１０内には、該マイナスイオン放出材１１をパイプ本体９の他端９ｂから離間させる方向に付勢する弾性部材１２が収容されている。また、パイプセットは、前記パイプ８を構成する特定のマイナスイオン放出材１１とは異なる種類の交換用のマイナスイオン放出材と、携帯用のパイプ収納体が含まれてなるものである。【選択図】        図３
0003128585.tif 000002
【実用新案登録請求の範囲】
【請求項１】
一端側に吸い口部が形成され中空状に成形されたパイプ本体と、
このパイプ本体の他端側に着脱自在に取り付けられ通気孔が形成されたキャップと、
このキャップ内に収容され香気又はマイナスイオンを放出するマイナスイオン放出材と、を備え、
上記パイプ本体は、セラミック材料により一体成形されてなることを特徴とするパイプ。
【請求項２】
前記マイナスイオン放出材は、香気又はマイナスイオンを放出する自然石又は加工石からなり、
前記キャップ内には、該マイナスイオン放出材をパイプ本体の他端から離間させる方向に付勢する弾性部材が収容されてなることを特徴とする請求項１記載のパイプ。
【請求項３】
前記パイプ本体の他端側は、中途部から他端に向かって穴の内径が徐々に広がっており、
前記弾性部材は、パイプ本体の他端側の穴の内径よりも小さい外径を有するコイルばねであることを特徴とする請求項２記載のパイプ。
【請求項４】
前記請求項１，２又は３記載の何れかのパイプと、該パイプを構成する特定のマイナスイオン放出材とは異なる種類の交換用のマイナスイオン放出材とが収納されてなることを特徴とするパイプセット。
【考案の詳細な説明】
【技術分野】
【０００１】
本考案は、パイプ及びパイプセットに関し、特に、節煙又は禁煙のために使用されたり、或いは癒しのために使用されたりするパイプ及びパイプセットに関するものである。
【背景技術】
【０００２】
パイプ又はパイプセットは、健康維持の目的から節煙又は禁煙のために使用されたり、或いは、癒しのために使用されており、様々な形態のパイプ又はパイプセットが提案されている。例えば、先端が開口されたパイプ本体と他端に吸口筒を備えた香気吸引パイプにおいて、前記パイプ本体内に装着したポリアセテート繊維束に香気剤を含ませた吸着材に甜茶エキスを混入したハーブエキスを含浸させた吸着材からなる構成の香気吸引パイプがある（特許文献１参照）。
【０００３】
【特許文献１】特開２００５−２１８４９８号公報
【考案の開示】
【考案が解決しようとする課題】
【０００４】
しかしながら、上記パイプは、長期間の使用により、雑菌が繁殖し衛生的ではなく、その雑菌パイプを殺菌するために、アルコールを用いて消毒する方法があるが、こうしたアルコールを購入する場合には所定の証明書が必要となったり、薬局に出向くなどの負担があって、面倒である。また、熱湯消毒による方法は、アルコール消毒よりも簡易である一方、上記従来のパイプは樹脂から構成されていることから、熱湯により加熱することにより変形する場合があるばかりか、内部に収容された香気剤が外部に漏出してしまい、以後使用不能となる問題があった。
【０００５】
そこで、本考案は、上述した従来のパイプが有する課題を解決するために提案されたものであって、容易に熱湯消毒ができ、パイプの持つ機能を損なうことが無い新規なパイプ又はパイプセットを提供することを目的とするものである。
【課題を解決するための手段】
【０００６】
上述した目的を達成するため、第１の考案（請求項１記載の考案）に係るパイプは、一端側に吸い口部が形成され中空状に成形されたパイプ本体と、このパイプ本体の他端側に着脱自在に取り付けられ通気孔が形成されたキャップと、このキャップ内に収容され香気又はマイナスイオンを放出するマイナスイオン放出材と、を備え、上記パイプ本体は、セラミック材料により一体成形されてなることを特徴とするものである。
【０００７】
この第１の考案では、吸い口部が形成されたパイプ本体とキャップとが着脱自在でありパイプ本体がセラッミク材料からなることから、雑菌が繁殖するパイプ本体のみを熱湯消毒することができ、かつ、変形することがない。さらに、セラッミクを素材としていることから、重量感を有し、所持感覚の充実を図ることができる。すなわち、禁煙者や節煙者にとって、喫煙している際には、言うまでも無く煙草に火が付いており、火が付いた煙草を所持しているときには、その火を気にしていることから無意識に注意を払っている。しかし、この考案に係るパイプでは火が付いているものではないことから、パイプの重量が、煙草１本の重量と同じ重量のように軽い場合には、所持している意識が軽薄となり、心理的に節煙又は禁煙を実行している意識を体で感じることができず、継続的になすべき禁煙・節煙を持続できない。この考案によれば、重量感があることから、所持している意識が持続できる。
【０００８】
また、第２の考案（請求項２記載の考案）は、上記第１の考案において、前記マイナスイオン放出材は、香気又はマイナスイオンを放出する自然石又は加工石からなり、前記キャップ内には、該マイナスイオン放出材をパイプ本体の他端から離間させる方向に付勢する弾性部材が収容されてなることを特徴とするものである。
【０００９】
この第２の考案では、キャップ内には、前記マイナスイオン放出材をパイプ本体の他端から離間させる方向に付勢する弾性部材が収容されてなる構成にしたので、自然石又は加工石がセラミック材料からなるパイプ本体と直接接触しないことから、粉、欠けが発生し、さらにはその破片が口の中に入ったり、パイプ本体が詰まって吸引不能又は困難となることを防止できる。
【００１０】
また、第３の考案（請求項３記載の考案）は、上記第２の考案において、前記パイプ本体の他端側は、中途部から他端に向かって穴の内径が徐々に広がっており、前記弾性部材は、パイプ本体の他端側の穴の内径よりも小さい外径を有するコイルばねであることを特徴とするものである。
【００１１】
この第３の考案では、前記パイプ本体の他端側の穴は、中途部から他端に向かって徐々に拡径するテーパ状になっているとともに、弾性部材はコイルばねであることから、前記マイナスイオン放出材はパイプ本体の他端側内径に直接接触することがなく、使用者の吸引圧に影響を及ぼさない。さらに、前記他端側の穴がテーパ状であることから、コイルばねのコイル径が多少異なっても該コイルばねは安定的に装着されるので、使用するコイル径を自由に選択できる。また、弾性部材がコイルばねであることから、前記マイナスイオン放出材はコイルばねの内周に係合するので、該マイナスイオン放出材の外径が異種のものでも該マイナスイオン放出材を安定的に保持できる。
【００１２】
また、第４の考案（請求項４記載の考案）に係るパイプセットは、前記請求項１，２又は３記載の何れかのパイプと、該パイプを構成する特定のマイナスイオン放出材とは異なる種類の交換用のマイナスイオン放出材とが収納されてなることを特徴とするものである。
【００１３】
この第４の考案では、前記パイプを構成する特定のマイナスイオン放出材とは異なる種類の交換用のマイナスイオン放出材とが収納されてなることから、使用目的によりマイナスイオン放出材を容易に交換することができる。
【考案の効果】
【００１４】
上記第１の考案（請求項１記載の考案）に係るパイプでは、吸い口部が形成されたパイプ本体とキャップとが着脱自在でありセラッミク材料からなることから、雑菌が繁殖するパイプ本体のみを熱湯消毒することができ、かつ、変形することがないので、長期間に亘り衛生的に使用することができる。さらに、セラッミクを素材としていることから、重量感を有し、所持感覚の充実を図ることができるとともに、所持している意識が持続できるので、マイナスイオン放出材の作用効果が得られやすくなる。
【００１５】
また、第２の考案（請求項２記載の考案）では、自然石又は加工石がセラミック材料からなるパイプ本体と直接接触しないことから、粉、欠けが発生し、さらにはその破片が口の中に入ったり、パイプ本体が詰まって吸引不能又は困難となることを防止できるので、長期間に亘り安全に使用することができるとともに、第１の考案との相乗効果により、節煙又は禁煙に失敗した場合においても、再開する際に再使用ができるので経済的である。
【００１６】
また、第３の考案（請求項３記載の考案）では、マイナスイオン放出材はパイプ本体の他端側内径に直接接触することがなく、使用者の吸引圧に影響を及ぼさないので通常の喫煙時と同様の状態で使用できる。また、パイプ本体の他端側内径と接するコイルばねのばね座が安定して着座するので、マイナスイオン放出材は、キャップ内で安定的に保持される。
【００１７】
また、第４の考案（請求項４記載の考案）に係るパイプセットでは、パイプを構成する特定のマイナスイオン放出材とは異なる種類の交換用のマイナスイオン放出材とが収納されてなることから、使用目的によりマイナスイオン放出材を容易に交換することができる。
【考案を実施するための最良の形態】
【００１８】
以下、本考案を実施するためのパイプ及びパイプセットに係る最良の形態を、図面を参照しながら詳細に説明する。まず、この実施の形態に係るパイプセット１は、図１に示すように、収納ケース２と、この収納ケースの開口部を閉鎖する底板３と、収納ケース２のパイプ収納部２ｂに収納されたパイプ８（後述するパイプ本体９，キャップ１０，マイナスイオン放出材１１及びコイルばね１２で構成）及びこのパイプ８を収納するパイプ収納袋４（本考案のパイプ収納体）と、予備品収納部２ｃに収納された予備のキャップ１０Ａ及び前記パイプ８に挿入された特定のマイナスイオン放出材１１とは異なる種類の交換用のマイナスイオン放出材１１Ａとが収納されている。
【００１９】
これらのうち、収納ケース２は、図１において、同図（ｂ）に示す左下部に、基板２ａの一部を開口して膨出させた大空洞部２ｅと、この大空洞部２ｅからさらに膨出させた小空洞部２ｆとを有するパイプ収納部２ｂが形成され、これらのうち、大空洞部２ｅ内にはパイプ収納袋４が、また、小空洞部２ｆ内にはパイプ８がそれぞれ収納される。また、同図の右下部には、図１（ａ）に示す基板２ａの一部を開口して膨出させた空洞部２ｇを有する予備品収納部２ｃが形成され、その空洞部２ｇ内には、予備のキャップ１０Ａと交換用のマイナスイオン放出材１１Ａとが収納される。
【００２０】
この収納ケース２の裏面には、底板３を掛止させるための折返し部２ｉ，２ｊ，２ｋが形成され、これら折返し部２ｉ，２ｊ，２ｋ内に挿入可能な輪郭で形成された底板３は、これら折返し部２ｉ，２ｊ，２ｋの各折返し内の空間（符号は省略する）により掛止される。そして、この掛止された底板３により収納ケース２のパイプ収納部２ｂと予備品収納部２ｃとの各開口部がそれぞれ閉鎖され、パイプ収納部２ｂ内に収納されたパイプ収納袋４及びパイプ８と、予備品収納部２ｃ内に収納された予備のキャップ１０Ａ及び交換用のマイナスイオン放出材１１Ａとがそれぞれ脱落しないように保持することができる。
【００２１】
また、パイプ８を収納するためのパイプ収納袋４は、図２に示すように、布素材で袋状に形成された袋本体５と、この袋本体５の開口部を封止する紐部材６とで構成されている。これらのうち、袋本体５は、図２（ｂ）に示す上方にパイプ８又はパイプ本体９を挿通する開口５ｃが形成され、パイプ８又はパイプ本体９を収納する袋部５ｂと、開口５ｃを紐締めすべく紐部材６を挿通する穴（符号は省略する）が形成された紐掛け部５ｄ，５ｅとで構成されている。
【００２２】
この袋本体５の紐掛け部５ｄ，５ｅに挿通される紐部材６は、図２（ａ）に示す左側の紐６ａを袋本体５の紐掛け部５ｄから紐掛け部５ｅに挿通して締結され、右側の紐６ｂを袋本体５の紐掛け部５ｅから紐掛け部５ｄに挿通して締結されている。そして、紐部材６の左右の紐６ａ，６ｂの両端を離隔する方向へそれぞれ引くことで、袋本体５の開口５ｃは紐締めされ、または、袋本体５の開口５ｃ内に指等を挿入することにより紐締め状態が解除され、開口５ｃは開口する。
【００２３】
また、予備品収納部２ｃに収納された予備のキャップ１０Ａは、後述するキャップ１０と同一の構成（図４（ｂ）及び(ｃ)参照）であり、交換用のマイナスイオン放出材１１Ａは、前記キャップ１０内に少なくとも１個が収容されている。この交換用のマイナスイオン放出材１１Ａは、前記パイプ８に挿入される後述する特定のマイナスイオン放出材１１と同一の構成であるか、又は特定のマイナスイオン放出材１１とは形状若しくは素材の異なる構成であって、これらを併せて収納してもよい。
【００２４】
つぎに、この実施の形態に係るパイプ８は、図３に示すように、中空状に成形されたパイプ本体９と、このパイプ本体９の他端９ｂ側に着脱自在に取り付けられるキャップ１０と、このキャップ１０内に収容されるマイナスイオン放出材１１と、このマイナスイオン放出材１１をパイプ本体９の他端９ｂから離間させる方向に付勢すべく前記キャップ１０内に収容されたコイルばね（本考案の弾性部材）１２とを備えて構成される。
【００２５】
パイプ８を構成するパイプ本体９は、セラミック材料により一体成形されてなるのであって、図３又は図４（ａ）に示すように、一端９ａ側に、一端９ａに向かって縮径する外径の吸い口部９ｃが形成され、中心には吸気するための吸気孔９ｄが形成された中空状に成形されている。また、他端９ｂ側の内周には、吸気孔９ｄの中途部から他端９ｂに向かって徐々に拡径するテーパ穴９ｆが形成され、このテーパ穴９ｆの近傍で他端９ｂ側の外周上には、後述するキャップ１０を掛止するための掛止溝９ｇが形成されている。
【００２６】
このパイプ本体９の他端９ｂ側に着脱自在に取り付けられるキャップ１０は、図４（ｂ）又は（ｃ）に示すように、一方の側壁１０ａに開口された掛止穴１０ｃを有して、熱可塑性樹脂素材により有底筒状に成形されている。この一方の側壁１０ａは掛止穴１０ｃが、前記パイプ本体９の掛止溝９ｇ内に嵌合可能な掛止溝９ｇと略同一の内径で形成されているとともに、このキャップ１０の筒部１０ｆの内径が、前記パイプ本体９の他端９ｂ側の外周に嵌合可能な内径で成形されている。
【００２７】
また、他方の側壁１０ｂには、外気を流入させる５個の通気孔１０ｄが穿孔されるとともに、筒部１０ｆの中途から一方の側壁１０ａには、掛止穴１０ｃが外力により拡径可能に筒部１０ｆを弾性変形させる３等分の切欠き溝１０ｇが形成されている。このキャップ１０の取付けは、掛止穴１０ｃを拡径させながらパイプ本体９の他端９ｂ側の外周に挿入するとともに、一方の側壁１０ａをパイプ本体９の掛止溝９ｇに係合させて取付ける。
【００２８】
また、このキャップ１０内に収容され、香気又はマイナスイオンを放出するマイナスイオン放出材１１は、トルマリン、ゲルマニウム等のマイナスイオンを放出する自然石又は加工石からなる球体（図３参照）に形成されている。これらのうち、加工石の場合は、自然石を粉砕してペレット状に焼結したものである。また、このマイナスイオン放出材１１を付勢するコイルばね１２は、図３に示すように、パイプ本体９の吸気孔９ｄよりも大きくテーパ穴９ｆよりも小さい外径の弦巻状に形成されている。
【００２９】
このコイルばね１２の取付けは、図３に示す右端がパイプ本体９のテーパ穴９ｆに当接するとともに、左端がマイナスイオン放出材１１に当接するようにして、キャップ１０をパイプ本体９の外周にコイルばね１２の弾性力に抗して挿入し、キャップ１０の一方の側壁１０ａをパイプ本体９の掛止溝９ｇに係合させる。この状態で、マイナスイオン放出材１１は、コイルばね１２によりパイプ本体９の他端９ｂから離間する方向に付勢される。
【００３０】
次いで、上述したパイプセット１及びパイプ８の使用方法をそれぞれ説明しながら作用効果を説明する。まず、パイプ８は、図３に示すように、セラミック材料により一体成形されたパイプ本体９の他端９ｂ側に形成されたテーパ穴９ｆの内周に、コイルばね１２の右端を当接させ、このコイルばね１２の左端には、トルマリン、ゲルマニウム等のマイナスイオンを放出する自然石又は加工石からなるマイナスイオン放出材１１を当接させるとともに、キャップ１０によりこれらコイルばね１２及びマイナスイオン放出材１１を覆うようにして、そのキャップ１０をパイプ本体９の外周にコイルばね１２の弾性力に抗して挿入し、一方の側壁１０ａをパイプ本体９の掛止溝９ｇに係合させて構成する。
【００３１】
このように構成されたパイプ８は、図３に示すパイプ本体９の吸い口部９ｃから吸引することで、キャップ１０の他方の側壁１０ｂに形成された通気孔１０ｄから空気が流入して吸い口部９ｃに流通し、この空気の流通によりマイナスイオン放出材１１から放出される香気又はマイナスイオンを吸入することができる。
【００３２】
そして、吸い口部９ｃが形成されたパイプ本体９とキャップ１０とが着脱自在であり、パイプ本体９がセラッミク材料からなることから、雑菌が繁殖するパイプ本体９のみを熱湯消毒することができ、かつ、変形することがない。さらに、セラッミクを素材としていることから、重量感を有し、所持感覚の充実を図ることができる。また、キャップ１０内には、マイナスイオン放出材をパイプ本体９の他端９ｂから離間させる方向に付勢する弾性部材であるコイルばね１２が収容されてなる構成にしたので、自然石又は加工石がセラミック材料からなるパイプ本体９のテーパ穴９ｆと直接接触しないことから、粉、欠けが発生し、さらにはその破片が口の中に入ったり、パイプ本体９の吸気孔９ｄが詰まって吸引不能又は困難となることを防止できる。
【００３３】
つぎに、パイプセット１は、図１に示す収納ケース２に、パイプ８、パイプ収納袋４、予備のキャップ１０Ａ及び交換用のマイナスイオン放出材１１Ａがそれぞれ収納されて構成するものである。これらのうち、パイプ収納袋４は、パイプ８を収納するものであるが、この実施の形態に係るパイプセット１ではパイプ８を収納せずに空袋のままで、図１（ａ）又は(ｂ)に示すパイプ収納部２ｂの大空洞部２ｅ内に収納されている。また、パイプ８は、パイプ本体９，キャップ１０，マイナスイオン放出材１１及びコイルばね１２により構成されて、パイプ収納袋４には収納されずに、パイプ収納袋４に重ねられてパイプ収納部２ｂの小空洞部２ｆに収納されている。
【００３４】
また、予備のキャップ１０Ａは、前記パイプ８を構成するキャップ１０と同一の構成であって、図１に示す予備品収納部２ｃの空洞部２ｇ内に収納されている。また、交換用のマイナスイオン放出材１１Ａは、前記パイプ８を構成する特定のマイナスイオン放出材１１と同一の構成であるか、又は特定のマイナスイオン放出材１１とは形状若しくは素材の異なる構成であって、これらの少なくとも１種が、予備品収納部２ｃの空洞部２ｇ内に収納された予備のキャップ１０Ａ内に収容されている。
【００３５】
そして、上記のパイプ８、パイプ収納袋４、予備のキャップ１０Ａ及び交換用のマイナスイオン放出材１１Ａがそれぞれ収納された収納ケース２には、その背面側の折返し部２ｉ，２ｊ，２ｋ内に底板３を挿入して、収納されたパイプ８、パイプ収納袋４、予備のキャップ１０Ａ、交換用のマイナスイオン放出材１１Ａ等が脱落しないように、収納ケース２のパイプ収納部２ｂと予備品収納部２ｃとの各開口部をそれぞれ閉鎖する。
【００３６】
このような構成でなるパイプセット１は、パイプ８を構成する特定のマイナスイオン放出材とは異なる種類の交換用のマイナスイオン放出材とが収納されてなることから、使用目的によりマイナスイオン放出材を容易に交換することができる。また、パイプセット１には、携帯用のパイプ収納袋４が含まれてなることから、持ち運びに便利であるとともに、衛生的である。また、このパイプ収納袋４は、布素材であることから洗濯が容易にできる。
【００３７】
なお、本考案に係るパイプ及びパイプセットの実施の形態において、パイプ本体の一端に形成された吸い口の形状は、図３又は図４（ａ）に示す円錐台状の中空で例示したが、本考案に係る吸い口の形状はこれに限定されるものではなく、例えば、円柱状の中空であってもよい。
【図面の簡単な説明】
【００３８】
【図１】本考案の実施の形態に係るパイプセットを示し、（ａ）は上面図、（ｂ）は正面図、（ｃ）は右側面図である。
【図２】パイプセットを構成するパイプ収納袋を示し、（ａ）は上面図、（ｂ）は正面図である。
【図３】本考案の実施の形態に係るパイプを示す断面図である。
【図４】パイプを構成するパイプ本体及びキャップを示し、（ａ）はパイプ本体の断面図、（ｂ）はキャップの断面図、（ｃ）は（ｂ）の右側面図である。
【符号の説明】
【００３９】
１  パイプセット
２  収納ケース
２ｂ  パイプ収納部
２ｃ  予備品収納部
３  底板
４  パイプ収納袋
５  袋本体
６  紐部材
８  パイプ
９  パイプ本体
９ａ  一端
９ｂ  他端
９ｃ  吸い口部
９ｄ  吸気孔
９ｆ  テーパ穴
１０  キャップ
１０Ａ  予備のキャップ
１０ｄ  通気孔
１０ｆ  筒部
１１  マイナスイオン放出材
１２  コイルばね
【図１】
0003128585.tif 000003
【図２】
0003128585.tif 000004
【図３】
0003128585.tif 000005
【図４】
0003128585.tif 000006